(57)【特許請求の範囲】
【請求項１】
赤外線マーキングを隠すように混合されたコントラストを変化させる少なくとも２つの色を、インライン分光光度計センサを利用して測定して、その後、前記少なくとも２つの色それぞれについての黒色トナーのコントラストを調節して、混合した時に互いの色の見え方を一致させるステップであって、少なくとも１つの色が赤外線マーキングを提供し、少なくとも１つの色が周囲の着色剤を提供し、前記赤外線マーキングを隠す、ステップと、
カスタマイズされる色を、より暗い色のより小さい全範囲から選択して、前記少なくとも２つの色の間の黒色トナーの十分な差異を保持して、前記周囲の着色剤から前記赤外線マーキングの赤外線検出のために十分なコントラストを提供し、前記少なくとも２つの色の間の近接した一致を保持することによって、平均的な観察者による前記赤外線マーキングの見やすさを最小限に抑えるステップと、
予測される色の混合と似ている色モデルを組み込むことにより最初の一致を提供して、その後、前記赤外線マーキングの赤外線検出に前記少なくとも２つの色の間で提供される黒色トナーの差異をもたらすことができる方式で、前記周囲の着色剤を用いて、前記赤外線マーキングを描画する前に、前記少なくとも２つの色を描画して、より近く一致するように前記少なくとも２つの色を調節し、前記少なくとも２つの色の間の近接した一致を保持することによって、平均的な観察者による前記赤外線マーキングの見やすさを最小限に抑えるステップと、を含む、
少なくとも２つの色の組み合わせ内で情報を伝達する赤外線マーキングを隠すための二元的色合わせフィードバック制御方法。
【請求項２】
色合わせ制御ユニットを通じて前記少なくとも２つの色の混合を調節して互いの前記色の見え方を一致させるステップをさらに含む、請求項１に記載の方法。
【請求項３】
前記隠された赤外線マーキングの着色剤と周囲の着色剤の間の色差を最小限に抑えて、前記隠された赤外線マーキングの存在が標準的な条件下で前記観察者に見つかりにくいように他のトナー量を調節するステップをさらに含む、請求項１に記載の方法。
【請求項４】
顧客が選択できるさまざまな色の前記赤外線マーキングを隠すステップをさらに含む、請求項１に記載の方法。
【請求項５】
色の限定されたパレットに対して、前記隠すことを提供するステップをさらに含む、請求項１に記載の方法。
【請求項６】
演色装置、トナーバッチ、色ずれ、およびノイズ源の少なくとも１つにわたって差異を補正し、前記少なくとも２つの色を色合わせ制御ユニットを通じて全く変更させるステップをさらに含む、請求項１に記載の方法。
【請求項７】
前記少なくとも２つの色の一致の一貫性および安定性を定期的に提供し、前記隠された赤外線マーキングの不可視性を向上させて保持するステップをさらに含む、請求項１に記載の方法。
【請求項８】
バーコードを含むよう、前記隠された赤外線マーキングを設定するステップをさらに含む、請求項１に記載の方法。
【請求項９】
文字列を含むよう、前記隠された赤外線マーキングを設定するステップをさらに含む、請求項１に記載の方法。
【請求項１０】
セキュリティ記号を含むよう、前記隠された赤外線マーキングを設定するステップをさらに含む、請求項１に記載の方法。
【請求項１１】
記号、バーコード、文字列又はセキュリティ記号の少なくとも一つの種類を含むよう、前記隠された赤外線マーキングを設定するステップをさらに含む、請求項１に記載の方法。
【請求項１２】
プロセッサと、
前記プロセッサに接続されたデータバスと、
コンピュータ・プログラム・コードを具体化するコンピュータ使用可能媒体であって、前記コンピュータ使用可能媒体は前記データバスに接続されており、前記コンピュータ・プログラム・コードは前記プロセッサにより実行可能な命令を含み、
赤外線マーキングを隠すように混合されたコントラストを変化させる少なくとも２つの色を、インライン分光光度計センサを利用して測定して、その後、前記少なくとも２つの色それぞれについての黒色トナーのコントラストを調節して、混合した時に互いの色の見え方を一致させるステップであって、少なくとも１つの色が赤外線マーキングを提供し、少なくとも１つの色が周囲の着色剤を提供し、前記赤外線マーキングを隠す、ステップと、
カスタマイズされる色を、より暗い色のより小さい全範囲から選択して、前記少なくとも２つの色の間の黒色トナーの十分な差異を保持して、前記周囲の着色剤から前記赤外線マーキングの赤外線検出のために十分なコントラストを提供し、前記少なくとも２つの色の間の近接した一致を保持することによって、平均的な観察者による前記赤外線マーキングの見やすさを最小限に抑えるステップと、
予測される色の混合と似ている色モデルを組み込むことにより最初の一致を提供して、その後、前記赤外線マーキングの赤外線検出に前記少なくとも２つの色の間で提供される黒色トナーの差異をもたらすことができる方式で、前記周囲の着色剤を用いて、前記赤外線マーキングを描画する前に、前記少なくとも２つの色を描画して、より近く一致するように前記少なくとも２つの色を調節し、前記少なくとも２つの色の間の近接した一致を保持することによって、平均的な観察者による前記赤外線マーキングの見やすさを最小限に抑えるステップと、のために構成されている、コンピュータ使用可能媒体と、を含む、
二元的色合わせフィードバック制御システム。
【請求項１３】
前記命令は、さらに、色合わせ制御ユニットを通じて前記少なくとも２つの色の混合を調節して互いの前記色の見え方を一致させるステップのために構成されている、請求項１２に記載のシステム。
【請求項１４】
前記命令は、さらに、前記隠された赤外線マーキングの着色剤と周囲の着色剤の間の色差を最小限に抑えて、前記隠された赤外線マーキングの存在が標準的な条件下で前記観察者に見つかりにくいように他のトナー量を調節するステップのために構成されている、請求項１２に記載のシステム。
【請求項１５】
前記命令は、さらに、顧客が選択できるさまざまな色の前記赤外線マーキングを隠すステップのために構成されている、請求項１２に記載のシステム。
【請求項１６】
前記命令は、さらに、演色装置、トナーバッチ、色ずれ、およびノイズ源の少なくとも１つにわたって差異を補正し、前記少なくとも２つの色を色合わせ制御ユニットを通じて全く変更させるステップのために構成されている、請求項１２に記載のシステム。
【請求項１７】
前記命令は、さらに、前記少なくとも２つの色の一致の一貫性および安定性を定期的に提供し、前記隠された赤外線マーキングの不可視性を向上させて保持するステップのために構成されている、請求項１２に記載のシステム。
【請求項１８】
前記隠された赤外線マーキングがバーコード、文字列又はセキュリティ記号の少なくとも一つを含む、請求項１２に記載のシステム。
【請求項１９】
プロセッサにプロセスを実行させる命令を表すコードを保存するプロセッサ読み込み可能な記録媒体であって、前記コードは、
赤外線マーキングを隠すように混合されたコントラストを変化させる少なくとも２つの色を、インライン分光光度計センサを利用して測定して、その後、前記少なくとも２つの色それぞれについての黒色トナーのコントラストを調節して、混合した時に互いの色の見え方を一致させるステップであって、少なくとも１つの色が赤外線マーキングを提供し、少なくとも１つの色が周囲の着色剤を提供し、前記赤外線マーキングを隠す、ステップと、
カスタマイズされる色を、より暗い色のより小さい全範囲から選択して、前記少なくとも２つの色の間の黒色トナーの十分な差異を保持して、前記周囲の着色剤から前記赤外線マーキングの赤外線検出のために十分なコントラストを提供し、前記少なくとも２つの色の間の近接した一致を保持することによって、平均的な観察者による前記赤外線マーキングの見やすさを最小限に抑えるステップと、
予測される色の混合と似ている色モデルを組み込むことにより最初の一致を提供して、その後、前記赤外線マーキングの赤外線検出に前記少なくとも２つの色の間で提供される黒色トナーの差異をもたらすことができる方式で、前記周囲の着色剤を用いて、前記赤外線マーキングを描画する前に、前記少なくとも２つの色を描画して、より近く一致するように前記少なくとも２つの色を調節し、前記少なくとも２つの色の間の近接した一致を保持することによって、平均的な観察者による前記赤外線マーキングの見やすさを最小限に抑えるステップと、のためのコードを含む、
プロセッサ読み込み可能な記録媒体。
【請求項２０】
色合わせ制御ユニットを通じて前記少なくとも２つの色の混合を調節して互いの前記色の見え方を一致させるステップのために構成されている、請求項１９に記載のプロセッサ読み込み可能な非一時的な媒体。
【発明の詳細な説明】
【技術分野】
【０００１】
実施形態は、一般に、隠された記号およびそれの応用に関する。また、実施形態は、赤外線バーコードに関する。さらに、実施形態は、インライン分光光度計およびそれのセンサに関する。また、実施形態は、二元的色合わせおよびフィードバック制御応用に関する。
【背景技術】
【０００２】
例えば、情報を含むバーコード、文字列、セキュリティ記号、および情報に富む他のシンボルなどの隠された記号を、ユーザ（例えば、顧客など）が選択した図式設計に好意を示したり、または調和したりするカスタマイズされた色とともに、特定の図式設計に組み込むことができる。例えば、バーコードは、印刷形式のデータを埋め込んで、多くの応用において自動同定と追跡機能とを提供するために利用できる。カラーバーコードは、多値記録を用いて白黒バーコードよりも多くの情報を記録できる。例えば、写真集印刷のような生産印刷応用は、裏表紙の右下隅にバーコードを通常隠している。
【０００３】
赤外線マーキングを隠すために２つの色を一致させる従来の方法は、限定された数の認定された適合色のパレットから選択するようにユーザを制限することを含んでいる。さらに、黒色トナー（ｋトナー）の十分大きな差異を保つことが、隠された記号を識別するのに十分なコントラストを保証する。より黒いトナーを有する着色剤は赤外線をより多く吸収し、より暗く見えるため、コントラストは赤外線照明の下で（例えば、赤外線バーコードリーダを用いて）検出できる。
【０００４】
残念ながら、異なる量の黒色トナーは、標準的な観察条件下で目立つ可能性がある色差を生じることがある。さらに、記号を隠すこと、すなわち隠された記号を観察者が視覚化できる程度は、２つの色を一致させることに強く依存している。演色装置がドリフトしたり、または演色装置が色合わせの一貫性を提供しなかったりする場合、記号を視覚化することがより容易になる。
【０００５】
上記に基づいて、赤外線マーキングを隠すための改良された二元的色合わせフィードバック制御システムおよび方法に対する必要性が存在していると考えられる。また、本明細書において後で詳細に説明するように、色の混合の間の黒色トナーの十分な差異を保持して、赤外線検出のために十分なコントラストを提供することに対する必要性が存在している。
【発明の概要】
【０００６】
したがって、開示する実施形態の一態様は、改良された目には見えない赤外線マーキングシステムおよび方法を提供することである。
【０００７】
開示する実施形態の他の態様は、赤外線マーキングを隠すための改良された二元的色合わせフィードバック制御システムおよび方法を提供することである。
【０００８】
開示する実施形態のさらなる態様は、色の混合の間の黒色トナーの十分な差異を保持して、赤外線検出のために十分なコントラストを提供するための改良されたシステムおよび方法を提供することである。
【０００９】
上述の態様、ならびに他の目的および利点は、本明細書で説明するように達成できる。顧客が選択できるさまざまな色の赤外線マーキング（例えば、可変情報を含むバーコード、隠し文字列、セキュリティ記号、情報に富む他のシンボルなど）を隠すための二元的色合わせフィードバック制御方法、システム、およびプロセッサ読み込み可能媒体を本明細書に開示する。システムは、２つ以上の色の混合を測定するインライン分光光度計センサと、２つ（または３つ以上）の混合を調節して互いの色の見え方を一致させる色合わせフィードバック制御ユニットと、を含むように構成できる。カスタマイズされる色は、より暗い色のより小さい全範囲から顧客が選択でき、２つの色の混合の間の黒色トナー（ｋトナー）の十分な差異を保持して、赤外線検出のために十分なコントラストを提供できる。最初の一致は、予測される色の混合と似ている色モデルを組み込むことにより提供できる。その後、隠された記号を描画する前に、２つの色を描画して、よりよく一致するように２つの色を調節できる。このような方法は、隠された記号の着色剤と周囲の着色剤の間の色差を最小限に抑えて、隠された記号の存在が標準的な条件下で観察者に見つかりにくいように他のトナー量を調節する。
【００１０】
また、本明細書に記載の二元的色合わせ制御法は、色の限定されたパレットに対してさえ、隠すことの改良を提供する。マッチング制御ユニットは、色をすっかり様変わりさせる演色装置、トナーバッチ、色ずれ、および他の雑音源の全体にわたって差異を補正できる。また、隠された記号を効果的に組み込むことができる色の集合を増加させることができる。このようなフィードバック法は、十分な性能を保持するとともに、色の一致の一貫性および安定性を定期的に提供し、それによって、隠された記号の不可視性を向上させて保持する。
【００１１】
多くの好ましい、および代替の実施形態を開示する。例えば、一実施形態では、二元的色合わせフィードバック制御方法は、少なくとも２つの色の混合を、インライン分光光度計センサを利用して測定して、その後、少なくとも２つの色の混合を調節して互いの色の見え方を一致させるステップまたは動作と、カスタマイズされる色を、より暗い色のより小さい全範囲から顧客が選択して、少なくとも２つの色の混合の間の黒色トナーの十分な差異を保持して、赤外線検出のために十分なコントラストを提供するステップまたは動作と、予測される色の混合と似ている色モデルを組み込むことにより最初の一致を提供して、その後、隠された記号を描画する前に、少なくとも２つの色を描画して、よりよく一致するように少なくとも２つの色を調節するステップまたは動作と、を含むことができる。
【００１２】
他の実施形態では、色合わせ制御ユニットを通じて少なくとも２つの色の混合を調節して互いの色の見え方を一致させるステップまたは動作を実現できる。さらに他の実施形態では、隠された記号の着色剤と周囲の着色剤の間の色差を最小限に抑えて、隠された記号の存在が標準的な条件下で観察者に見つかりにくいように他のトナー量を調節するステップまたは動作を実現できる。さらに他の実施形態では、顧客が選択できるさまざまな色の記号を隠すステップまたは動作を実現できる。さらに他の実施形態では、色の限定されたパレットに対して、隠すことを提供する動作またはステップを実現できる。さらに他の実施形態では、少なくとも２色をすっかり様変わりさせるように、演色装置、トナーバッチ、色ずれ、および雑音源のうちの少なくとも１つに対して、色合わせ制御ユニットを通じて差異を補正する動作またはステップを実現できる。他の実施形態では、少なくとも２色の一致の一貫性および安定性を提供し、隠された記号の不可視性を向上させて保持するステップまたは動作を実現できる。他の実施形態では、隠された記号は、バーコード、文字列、セキュリティ記号などであってもよい。
【００１３】
さらに他の実施形態では、二元的色合わせフィードバック制御用のシステムを実現できる。このようなシステムは、例えば、プロセッサと、プロセッサに接続されたデータバスと、を含んでいてもよい。また、このようなシステムは、コンピュータコードを具体化するコンピュータ使用可能媒体を含むことができ、コンピュータ使用可能媒体はデータバスに接続されており、コンピュータ・プログラム・コードはプロセッサにより実行可能な命令を含むとともに、少なくとも２つの色の混合を、インライン分光光度計センサを利用して測定して、その後、少なくとも２つの色の混合を調節して互いの色の見え方を一致させ、カスタマイズされる色を、より暗い色のより小さい全範囲から顧客が選択して、少なくとも２つの色の混合の間の黒色トナーの十分な差異を保持して、赤外線検出のために十分なコントラストを提供し、予測される色の混合と似ている色モデルを組み込むことにより最初の一致を提供して、その後、隠された記号を描画する前に、少なくとも２つの色を描画して、よりよく一致するように少なくとも２つの色を調節するように構成されている。
【００１４】
いくつかの実施形態では、このような命令は、色合わせ制御ユニットを通じて少なくとも２つの色の混合を調節して互いの色の見え方を一致させるようにさらに構成できる。他の実施形態では、命令は、隠された記号の着色剤と周囲の着色剤の間の色差を最小限に抑えて、隠された記号の存在が標準的な条件下で観察者に見つかりにくいように他のトナー量を調節するように構成できる。さらに他の実施形態では、このような命令は、顧客が選択できるさまざまな色の記号を隠すようにさらに構成できる。さらに他の実施形態では、このような命令は、少なくとも２色をすっかり様変わりさせるように、演色装置、トナーバッチ、色ずれ、および雑音源のうちの少なくとも１つに対して、色合わせ制御ユニットを通じて差異を補正するようにさらに構成できる。さらに他の実施形態では、このような命令は、少なくとも２色の一致の一貫性および安定性を定期的に提供し、隠された記号の不可視性を向上させて保持するようにさらに構成できる。上述のように、隠された記号は、バーコード、文字列、セキュリティ記号などである可能性がある。
【００１５】
さらに他の実施形態では、プロセッサにプロセスを実行させる命令を表すコードを保存するプロセッサ読み込み可能媒体を実現できる。このようなコードは、例えば、少なくとも２つの色の混合を、インライン分光光度計センサを利用して測定して、その後、少なくとも２つの色の混合を調節して互いの色の見え方を一致させ、カスタマイズされる色を、より暗い色のより小さい全範囲から顧客が選択して、少なくとも２つの色の混合の間の黒色トナーの十分な差異を保持して、赤外線検出のために十分なコントラストを提供し、予測される色の混合と似ている色モデルを組み込むことにより最初の一致を提供して、その後、隠された記号を描画する前に、少なくとも２つの色を描画して、よりよく一致するように少なくとも２つの色を調節するためのコードを含んでいてもよい。コードは、他の実施形態では、色合わせ制御ユニットを通じて少なくとも２つの色の混合を調節して互いの色の見え方を一致させるようにさらに構成できる。
【図面の簡単な説明】
【００１６】
【図１】図１は、開示する実施形態の、ネットワークを介してデータ処理装置に接続されたレンダリング装置の実施例を示す図である。
【図２】図２は、開示する実施形態の、二元的色合わせ制御システムのブロック図を示す図である。
【図３】図３は、開示する実施形態の、顧客が選択できるさまざまな色の赤外線マーキングを隠すための方法の論理演算ステップを説明する動作の高レベル流れ図である。
【図４】図４は、開示する実施形態の、うまく隠すことと、赤外線バーコード読み込みのための十分なコントラストと、を提供するために２つの色の混合内の黒色トナーの十分な差異を有する１８色対の代表的パレット例を示す図である。
【発明を実施するための形態】
【００１７】
図１を参照すると、システム１００が、ネットワーク１３５を介してデータ処理装置１１０と通信するレンダリング装置１４０を含んでいる。いくつかの実施形態では、レンダリング装置１４０は、例えば、プリンタ、スキャナ、コピー機、ワークステーション、移動式ディスプレイ、それらの組み合わせのようなレンダリング装置であってもよい。他の実施形態では、レンダリング装置１４０はＭＦＤであってもよい。データ処理装置１１０は、例えば、パーソナルコンピュータまたは他のコンピュータデバイスであってもよく、一般に、中央処理装置１２０と、表示装置１１５と、キーボード１３１と、位置決め装置１３０（例えば、マウス、トラックボール、ペンデバイス、接触、触知性の、触覚に基づく、またはその種の他のもの）と、を含んでいる。要望があれば、データ処理装置１１０と関連してレンダリング装置１４０などの追加の入出力装置を含んでいてもよい。
【００１８】
本明細書で使用するように、用語レンダリング装置は、プリンタ、スキャナ、ファクス送受信機、コピー機など、および／またはそれらの組み合わせ（例えば、ＭＦＤなど）のような装置またはシステムを指してもよいことに留意されたい。レンダリング装置１４０は、印刷、コピー、スキャン、ファックスなどの複数のレンダリング機能を実行できることが好ましい。いくつかの実施形態では、印刷などの単一レンダリング機能を有するレンダリング装置１４０を実現してもよい。他の実施形態では、レンダリング装置１４０は、スキャン、ファックス、印刷、およびコピーなどの複数のレンダリング機能を提供するように構成できる。図２に関して本明細書に示すレンダリング装置１４２および１４４が、全体としてレンダリング装置１４０に類似しているか、または同類であることに留意されたい。
【００１９】
例えば、図１に示すデータ処理装置１１０は、印刷所環境の状況でコンピュータネットワーク１３５を介してレンダリング装置１４０（および他のレンダリング装置）に接続できる。ネットワーク１３５は、任意のネットワークトポロジー、伝送媒体、またはネットワークプロトコルを使用してもよい。ネットワーク１３５は、ワイヤ、無線通信リンク、または光ファイバケーブルのような接続を含んでいてもよい。図示の実施例では、ネットワーク１３５は、互いに通信するためのプロトコルの伝送制御プロトコル／インターネットプロトコル（ＴＣＰ／ＩＰ）パッケージソフトを使用する、ネットワークとゲートウェイとの世界的集合を表すインターネットである。インターネットの中心は、データおよびメッセージの道順を決める何千もの商用の、政府の、教育用の、および他のコンピュータシステムで構成された多重ノードまたはホストコンピュータの間の高速データ通信回線のバックボーンである。
【００２０】
レンダリング装置１４０は、パネルメニューのようなユーザインタフェース１４５の使用を含むことができる。レンダリング装置１４０において機能を選択して、他のデータに入力するのにパネルメニューを使用してもよい。このようなインタフェースは、オプションメニューまたはその種の他のものを検索するための、例えば、接触作動式キーを有するタッチスクリーンを含んでいてもよい。例えば、ドライバプログラムが、データ処理装置１１０上にインストールでき、ホスト装置のハードドライブ１５０上に常駐できる。レンダリング装置１４０により処理するためのドライバを用いてユーザが印刷ジョブを生成してもよいように、アプリケーションインタフェースを通してドライバプログラムを作動させてもよい。
【００２１】
データ処理装置１１０は、ユーザがデータ処理装置１１０と情報をやりとりするとともに、ネットワーク１３５および、例えば、図１に示すレンダリング装置１４０などのネットワーク接続された装置とも同様に情報をやりとりすることを可能にするＧＵＩ（グラフィカル・ユーザ・インタフェース）１２５を含むことができる。ユーザインタフェース１２５は、装置表示部を通して、および／またはキーボード／マウスの組み合わせを通じて、一般に情報を表示してデータを受信する。また、インタフェース１２５は、ユーザが追加入力を提供してもよい結果を表示したり、または所与のセッションを終了させたりする働きをする。データ処理装置１１０は、例えば、ネットワークの中に組み込むことができるＰＤＡ、パーソナルコンピュータ、携帯電話、ＰＯＳ端末装置、サーバなどの任意のコンピュータデバイスである可能性がある。
【００２２】
上述のように、レンダリング装置１４０の入力装置は、例えば、タッチ・スクリーン・ディスプレイまたは分離したキーパッドおよびディスプレイ、もしくはメモリフォブもしくはその種の他のもののようなローカル・ユーザ・インタフェース１４５であってもよい。あるいは、または加えて、入力装置は携帯機器からの制約データを含む無線信号を受信する無線ポートであってもよい。無線信号は、赤外線信号または電磁信号であってもよい。システム管理者は、タッチスクリーン、キーパッドを操作することにより、または無線ポートを介して無線メッセージで通信することにより、ローカル・ユーザ・インタフェース１４５を通じて制約データを入力してもよい。無線を使って通信する管理者の携帯機器は、上述のように、携帯情報端末（ＰＤＡ）またはその種の他のものであってもよい。
【００２３】
下記の説明は、図２に示す顧客装置２１０とレンダリング装置１４０との関連で具体化できる本発明の実施形態に関して提示される。しかしながら、本発明は、任意の特定用途または任意の特定環境には限定されない。それどころか、データベース管理システム、ワードプロセッサ、およびその種の他のものを含むさまざまなシステムおよびアプリケーションソフトウェアに、本発明のシステムおよび方法を適用することが有利である可能性があることに当業者は気付くであろう。さらに、本発明は、マッキントッシュ、ＵＮＩＸ（登録商標）、リナックス（登録商標）、およびその種の他のものを含むさまざまな異なるプラットフォーム上で具体化してもよい。したがって、次に来る例示的実施形態の説明は、例を示すためであり、限定とは見なされない。
【００２４】
書き込みできない記憶媒体（例えば、ＣＤ−ＲＯＭなど）と、書き込み可能記憶媒体（例えば、ハード・ディスク・ドライブ、読み取り書き込みＣＤ−ＲＯＭ、光媒体など）と、これに限らないがランダム・アクセス・メモリ（ＲＡＭ）などのシステムメモリと、例えば、イーサネット（登録商標）、インターネット、無線ネットワーク、他のネットワーク接続されたシステムなどを含むコンピュータネットワークおよび電話ネットワークなどの通信媒体と、を制限なく含むさまざまな信号保持媒体を通じて、データ記憶システムまたはコンピュータシステムに、開示する実施形態に関して機能を規定するプログラムを配信してもよいことに留意されたい。
【００２５】
図２は、開示する実施形態の、二元的色合わせフィードバック制御システム２００のブロック図を示している。図１〜図４では、同一のまたは類似のブロックを、一般に、同じ参照番号で示していることに留意されたい。二元的色合わせフィードバック制御システム２００は、ネットワーク接続されたレンダリング装置１４０とサーバ２１５とに関連するネットワークインフラ１３５を一般的に含んでいる。図１に示すデータ処理システム１１０は、例えば、サーバである可能性がある。また、ネットワーク１３５内には、サービスプロバイダとして、例えば、デスクトップ、ネットワーク装置、小型電卓、携帯電話などの他のデバイスを含んでいてもよい。
【００２６】
サーバ２１５と関連して構成された二元的色合わせフィードバック制御モジュール２２０は、顧客が選択できるさまざまな色の赤外線マーキングを隠すのに適している可能性がある。本明細書で使用するように、用語「モジュール」は、物理的ハードウェアコンポーネントおよび／またはソフトウェアモジュールを指してもよいことに留意されたい。コンピュータプログラミング技術では、このようなソフトウェア「モジュール」を、特定のタスクを実行したり、または特定の抽象データ型を実現したりするルーチンとデータ構造との集合として実現してもよい。この種類のモジュールは、一般に２つの部分から構成されている。第１に、ソフトウェアモジュールは、他のモジュールまたはルーチンがアクセスできる定数、データ型、変数、ルーチンなどを記載してもよい。第２に、ソフトウェアモジュールは、非公開である（すなわち、モジュールだけがアクセスできる）可能性があり、モジュールがそれに基づいているルーチンまたはサブルーチンを実際に実現するソースコードを含むインプリメンテーションとして構成されてもよい。
【００２７】
したがって、本明細書で「モジュール」に言及する場合、発明者はこのようなソフトウェアモジュールまたはそれのインプリメンテーションを一般に指している。本明細書に記載の方法は、ひと続きのこのようなモジュールとして、または単一のソフトウェアモジュールとして実現できる。このようなモジュールは、伝送媒体と書き込み可能媒体とを含む信号保持媒体を通じて実現できるプログラム製品を形成するために別々にまたは一緒に利用できる。本発明は、さまざまな形のプログラム製品として配布でき、このことは、配布を行うのに利用する特定の種類の信号保持媒体にかかわらず等しく当てはまる。
【００２８】
信号保持媒体の例としては、例えば、フロッピィディスク、ハード・ディスク・ドライブ、ＣＤーＲＯＭ、ＣＤ−Ｒなどの書き込み可能型媒体と、デジタルおよび／またはアナログ通信回線のような伝送媒体と、を含むことができる。また、伝送媒体の例としては、標準的な電話回線および／またはより高度なデジタル通信回線を介して情報を送信できるモデムのような装置を含むことができる。
【００２９】
システム２００は、２つ以上の色の混合を測定するためにレンダリング装置１４０（または図２には示されていない他の装置）と通信できるインライン分光光度計センサ２４０を含んでいる。分光光度計は光源波長の関数として強度を測定できる光度計（光強度を測定するための装置）であることに留意されたい。分光光度計の特性は、吸収率または反射率測定のスペクトルバンド幅および線形範囲である。分光光度計は、材料を特定する分光分析で通常利用される電磁スペクトルの特定部位の光特性を測定するために一般的に使用できる。用語分光光度計は、ガンマ線およびエックス線から遠赤外までの非常に広範囲の波長にわたって作動する機器に当てはめることができる。
【００３０】
インライン分光光度計センサ２４０を実現するのに利用できる分光光度計の一例は、２０１０年４月１５日にＨｅｒｌｏｓｋｉ他に発行され、米国コネチカット州ノーウォークのゼロックス社に譲渡された「インライン線形可変フィルタに基づく分光光度計」と題する米国特許出願公開番号第２０１０００９２０８３号に開示されている。米国特許出願公開番号第２０１０００９２０８３号は、引用することにより全体として本明細書の一部となっている。インライン分光光度計センサ２４０を実現するのに利用できる分光光度計の他の例は、２０１１年４月１２日にＨｏｓｉｅｒ他に発行され、米国コネチカット州ノーウォークのゼロックス社に譲渡された「線形可変フィルタに基づく分光光度計と組み合わせたインライン画像センサ」と題する米国特許出願公開番号第２０１１００８９３１６号に開示されている。米国特許出願公開番号第２０１１００８９３１６号は、引用することにより全体として本明細書の一部となっている。
【００３１】
二元的色合わせフィードバック制御システム２００は、よりうまく隠すことと、赤外線検出における十分なコントラストとを提供するために、隠された記号の２つの色の混合の一致を制御する。一般に、隠された記号は目では見つけることができず、物体および文書を特定して信頼性を決定するために使用できる。また、隠された記号は、文書および物体の出所、用途、原作者、履歴、正当な適用、知的財産所有権、派生物、および信頼性に関する隠された情報を伝える働きをしてもよい。
【００３２】
二元的色合わせフィードバック制御モジュール２００と関連して構成された色合わせフィードバック制御ユニット２３０が、２つの色の混合を調節して互いの色の見え方を一致させる。カスタマイズされる色は、より暗い色のより小さい全範囲から顧客が選択でき、２つの色の混合の間の黒色トナーの十分な差異を保持して、赤外線検出のために十分なコントラストを提供できる。最初の一致は、データベース１８５内に保存された、予測される色の混合と似ている色モデルを組み込むことにより提供できる。その後、隠された記号を描画する前に、レンダリング装置１４０が２つの色を描画して、最良の一致に集中するように２つの色を調節できる。このような方法は、隠された記号の着色剤と周囲の着色剤の間の色差を最小限に抑えて、隠された記号の存在が標準的な条件下で観察者に見つかりにくいように他のトナー量を調節する。
【００３３】
隠された記号は、設計留意点に応じて、例えば、可変情報を含むバーコード、隠し文字列、セキュリティ記号、または情報に富む他のシンボルなどである可能性があることに留意されたい。バーコードの議論は、あくまで一般的な例を示すために本明細書に提示したに過ぎず、他の実施形態に基づいて他の種類の隠された記号を実現できることが分かる。
【００３４】
図３は、開示する実施形態の、顧客が選択できるさまざまな色の赤外線マーキング（例えば、隠し文字列、セキュリティ記号、バーコードなど）を隠すための方法３００の論理演算ステップを説明する動作の高レベル流れ図を示している。ブロック３１０に示すように、上述の２つ（または３つ以上）の色の混合は、例えば、図２に示すインライン分光光度計センサ２４０を利用して測定できる。ブロック３２０に示すように、色の混合を調節して互いの色の見え方を一致させることができる。その後、ブロック３３０に示すように、カスタマイズされる色は、より暗い色のより小さい全範囲から顧客が選択できる。ブロック３４０に示すように、２つの色の混合の間の黒色トナーの十分な差異を保持して、赤外線検出のために十分なコントラストを提供できる。ブロック３５０に示すように、最初の一致は、予測される色の混合と似ている色モデルを組み込むことにより提供できる。その後、ブロック３６０に示すように、隠された記号を描画する前に、２つの色を描画して、最良の一致に集中するように２つの色を調節できる。ブロック３７０に示すように、隠された記号の着色剤と周囲の着色剤の間の色差を最小限に抑えて、隠された記号の存在が標準的な条件下で観察者に見つかりにくいように他のトナー量を調節できる。
【００３５】
図４は、開示する実施形態の、うまく隠すことと、赤外線バーコード読み込みのための十分なコントラストと、を提供するために２つの色の混合内の黒色トナーの十分な差異を有する１８色対の代表的パレット例５００を示している。パレット例５００は、カラー走査像４１０と、赤外線走査像４２０とを表している。また、二元的色合わせ制御システム１００は、色の限定されたパレットに対してさえ、隠すことの改良を提供する。マッチング制御ユニット２３０は、色をすっかり様変わりさせる演色装置１４０、トナーバッチ、色ずれ、および他の雑音源の全体にわたって差異を補正できる。また、隠されたバーコードを効果的に組み込むことができる色の集合を増加させることができる。このようなフィードバック法は、十分な性能を保持するとともに、色の一致の一貫性および安定性を定期的に提供し、それによって、隠されたバーコードの不可視性を向上させて保持する。
【００３６】
上記に基づいて、多くの好ましい、および代替の実施形態を実現できることが分かる。例えば、一実施形態では、二元的色合わせフィードバック制御方法は、少なくとも２つの色の混合を、インライン分光光度計センサを利用して測定して、その後、少なくとも２つの色の混合を調節して互いの色の見え方を一致させるステップまたは動作と、カスタマイズされる色を、より暗い色のより小さい全範囲から顧客が選択して、少なくとも２つの色の混合の間の黒色トナーの十分な差異を保持して、赤外線検出のために十分なコントラストを提供するステップまたは動作と、予測される色の混合と似ている色モデルを組み込むことにより最初の一致を提供して、その後、隠された記号を描画する前に、少なくとも２つの色を描画して、よりよく一致するように少なくとも２つの色を調節するステップまたは動作と、を含むことができる。
【００３７】
他の実施形態では、色合わせ制御ユニットを通じて少なくとも２つの色の混合を調節して互いの色の見え方を一致させるステップまたは動作を実現できる。さらに他の実施形態では、隠された記号の着色剤と周囲の着色剤の間の色差を最小限に抑えて、隠された記号の存在が標準的な条件下で観察者に見つかりにくいように他のトナー量を調節するステップまたは動作を実現できる。さらに他の実施形態では、顧客が選択できるさまざまな色の記号を隠すステップまたは動作を実現できる。さらに他の実施形態では、色の限定されたパレットに対して、隠すことを提供する動作またはステップを実現できる。さらに他の実施形態では、少なくとも２色をすっかり様変わりさせるように、演色装置、トナーバッチ、色ずれ、および雑音源のうちの少なくとも１つに対して、色合わせ制御ユニットを通じて差異を補正する動作またはステップを実現できる。他の実施形態では、少なくとも２色の一致の一貫性および安定性を提供し、隠された記号の不可視性を向上させて保持するステップまたは動作を実現できる。他の実施形態では、隠された記号は、バーコード、文字列、セキュリティ記号などであってもよい。
【００３８】
さらに他の実施形態では、二元的色合わせフィードバック制御用のシステムを実現できる。このようなシステムは、例えば、プロセッサと、プロセッサに接続されたデータバスと、を含んでいてもよい。また、このようなシステムは、コンピュータコードを具体化するコンピュータ使用可能媒体を含むことができ、コンピュータ使用可能媒体はデータバスに接続されており、コンピュータ・プログラム・コードはプロセッサにより実行可能な命令を含むとともに、少なくとも２つの色の混合を、インライン分光光度計センサを利用して測定して、その後、少なくとも２つの色の混合を調節して互いの色の見え方を一致させ、カスタマイズされる色を、より暗い色のより小さい全範囲から顧客が選択して、少なくとも２つの色の混合の間の黒色トナーの十分な差異を保持して、赤外線検出のために十分なコントラストを提供し、予測される色の混合と似ている色モデルを組み込むことにより最初の一致を提供して、その後、隠された記号を描画する前に、少なくとも２つの色を描画して、よりよく一致するように少なくとも２つの色を調節するように構成されている。
【００３９】
いくつかの実施形態では、このような命令は、色合わせ制御ユニットを通じて少なくとも２つの色の混合を調節して互いの色の見え方を一致させるようにさらに構成できる。他の実施形態では、命令は、隠された記号の着色剤と周囲の着色剤の間の色差を最小限に抑えて、隠された記号の存在が標準的な条件下で観察者に見つかりにくいように他のトナー量を調節するように構成できる。さらに他の実施形態では、このような命令は、顧客が選択できるさまざまな色の記号を隠すようにさらに構成できる。さらに他の実施形態では、このような命令は、少なくとも２色をすっかり様変わりさせるように、演色装置、トナーバッチ、色ずれ、および雑音源のうちの少なくとも１つに対して、色合わせ制御ユニットを通じて差異を補正するようにさらに構成できる。さらに他の実施形態では、このような命令は、少なくとも２色の一致の一貫性および安定性を定期的に提供し、隠された記号の不可視性を向上させて保持するようにさらに構成できる。上述のように、隠された記号は、バーコード、文字列、セキュリティ記号などである可能性がある。
【００４０】
さらに他の実施形態では、プロセッサにプロセスを実行させる命令を表すコードを保存するプロセッサ読み込み可能媒体を実現できる。このようなコードは、例えば、少なくとも２つの色の混合を、インライン分光光度計センサを利用して測定して、その後、少なくとも２つの色の混合を調節して互いの色の見え方を一致させ、カスタマイズされる色を、より暗い色のより小さい全範囲から顧客が選択して、少なくとも２つの色の混合の間の黒色トナーの十分な差異を保持して、赤外線検出のために十分なコントラストを提供し、予測される色の混合と似ている色モデルを組み込むことにより最初の一致を提供して、その後、隠された記号を描画する前に、少なくとも２つの色を描画して、よりよく一致するように少なくとも２つの色を調節するためのコードを含んでいてもよい。コードは、他の実施形態では、色合わせ制御ユニットを通じて少なくとも２つの色の混合を調節して互いの色の見え方を一致させるようにさらに構成できる。
【００４１】
一般に、顧客が選択できるさまざまな色の赤外線マーキングを隠すための二元的色合わせフィードバック制御方法、システム、および／またはプロセッサ読み込み可能媒体を開示する。開示する方法は、少なくとも２つの色の混合を測定するためにインライン分光光度計センサを含み、色合わせフィードバック制御ユニットは、２つの混合を調節して互いの色の見え方を一致させる。カスタマイズされる色は、より暗い色のより小さい全範囲から顧客が選択でき、２つの色の混合の間の黒色トナー（ｋトナー）の十分な差異を保持して、赤外線検出のために十分なコントラストを提供できる。最初の一致は、予測される色の混合と似ている色モデルを組み込むことにより提供できる。その後、隠された記号を描画する前に、２つの色を描画して、よりよく一致するように２つの色を調節できる。このような方法は、隠された記号の着色剤と周囲の着色剤の間の色差を最小限に抑えて、隠された記号の存在が標準的な条件下で観察者に見つかりにくいように他のトナー量を調節する。
【図１】
0005852921.tif 000002
【図２】
0005852921.tif 000003
【図３】
0005852921.tif 000004
【図４】
0005852921.tif 000005